(57)【要約】【課題】熱湯を注いで調理するインスタント焼そばやインスタント生麺などを収容した、発泡スチロール製などのトレー状容器５０に被せて熱融着する、湯切り孔を形成する領域に設けた剥離剤層４０を確実に剥離して、この領域に残した内蓋材３０に、確実に複数の湯切り孔ｃ、ｃ、ｃ、…を形成することができる、傾けるだけで、簡単に残余の熱湯を湯切りすることができる湯切り機能付の蓋材を提供する。【解決手段】複数の円形切れ目線ｃ、ｃ、ｃ、…の内側を除いた湯切り孔を形成する領域と、この領域の下流端辺に設けた湯切りつまみａの部分とに、部分的に設けた剥離剤層４０を介して、外蓋材２０と内蓋材３０とを積層して、加えて湯切りつまみａの部分の内蓋材３０を除去した。【選択図】図１
2004314990.tif 000002
【特許請求の範囲】
【請求項１】
外蓋材と内蓋材とを部分的に設けた剥離剤層を介して積層して成る湯切り孔を形成する領域の湯切りつまみを設け、開蓋する方向の上流端辺に開蓋つまみを有する湯切り機能付蓋材であって、内蓋材の湯切り孔を形成する領域に、湯切り孔を形成する複数の円形切れ目線を設け、この複数の円形切れ目線の内側を除いた湯切り孔を形成する領域と、この領域に設けた湯切りつまみの部分とに、部分的に設けた剥離剤層を介して、外蓋材と内蓋材とを積層したことを特徴とする湯切り機能付の蓋材。
【請求項２】
前記内蓋材の湯切り孔を形成する領域と前記湯切りつまみの部分との間を切断し、前記外蓋材を残して湯切りつまみの部分の内蓋材を除去したことを特徴とする請求項１に記載の湯切り機能付蓋材。
【請求項３】
前記外蓋材の剥離剤層を設けた湯切り孔を形成する領域と剥離剤層を設けない領域の間に、この領域を区画する切れ目線を設けたことを特徴とする請求項１又は請求項２に記載の湯切り機能付蓋材。
【発明の詳細な説明】
【０００１】
【発明の属する技術分野】
本発明は、熱湯を注いで調理するインスタント焼そばやインスタント生麺などを収容した、発泡スチロール製などのトレー状容器５０に被せて熱融着する、複数の湯切り孔ｃ、ｃ、ｃ、…の形成が確実であって、傾けるだけで、簡単に残余の熱湯を湯切りすることができる湯切り機能付の蓋材に関する。
【０００２】
【従来の技術】
従来から、熱湯を注いで調理するインスタント焼そば用などの傾けるだけで残余の熱湯を湯切りすることができる、図４に示すような適度の強度や剛性などを有する紙積層材料製などの外蓋材２０と、各種バリアー性や熱融着性などを有する樹脂積層材料製などの内蓋材３０とを、部分的に設けた剥離剤層４０を介して積層して成る湯切りする方向（図４では右から左）の下流側の（図４Ｃに斜線で示す）湯切り孔を形成する領域の下流端辺に湯切りつまみａを設け、開蓋する方向（図４では右から左）の上流端辺に開蓋つまみｂを有する円形状又は角を丸めた長方形状の湯切り機能付蓋材であって、外蓋材２０の湯切り孔を形成する領域の上流端に、この領域を区画する切れ目線ｄを設け、また内蓋材３０の湯切り孔を形成する領域と湯切りつまみａの部分との間に、内蓋材３０を切断する切れ目線ｆを設け、さらに内蓋材３０の湯切り孔を形成する領域の下流部分に、湯切り孔を形成する複数の円形切れ目線ｃ、ｃ、ｃ、…を設け、この複数の円形切れ目線ｃ、ｃ、ｃ、…の内側を除いた湯切り孔を形成する領域に、部分的に設けた剥離剤層４０を介して、この外蓋材２０と内蓋材３０とを積層した湯切り機能付の蓋材（特開２０００−１０９１４１号公報を参照）があり、図４Ｂに示すようにインスタント焼そばなどを収容した発泡スチロール製などのトレー状容器５０に被せ、このトレー状容器５０のフランジｇに周辺部を熱融着した蓋材として広く用いられている。
【０００３】
この従来の発泡スチロール製などのトレー状容器５０に被せて熱融着した、図４に示す湯切り機能付の蓋材については、湯切り機能付の蓋材の開蓋つまみｂをやゝ強く引張って、外蓋材２０に設けた切れ目線ｄ付近まで開蓋して、熱湯を注いで調理（閉蓋して３分間程度放置）した後に、湯切りする方向の下流端辺に設けた湯切りつまみａを引張って、内蓋材３０の湯切り孔を形成する領域と湯切りつまみａの部分との間に設けた切れ目線ｆを切断して、図４Ｃに斜線で示す湯切り孔を形成する領域に設けた剥離剤層４０を剥離しながら、この領域を区画する切れ目線ｄを切断し、内蓋材３０を残して、湯切り孔を形成する領域の外蓋材２０を除去するだけで、図４Ｄに示すように、剥離剤層４０を除いた複数の円形切れ目線ｃ、ｃ、ｃ、…の内側が、この外蓋材２０とともに除去されて開孔し、この領域に残した内蓋材３０に簡単に複数の湯切り孔ｃ、ｃ、ｃ、…を形成することができる湯切り機能付の蓋材であって、続いて、湯切りする方向の下流側の湯切り孔を形成する領域に残した内蓋材３０に、複数の湯切り孔ｃ、ｃ、ｃ、…を形成したトレー状容器５０を湯切りする方向の下流側に傾けるだけで、簡単に残余の熱湯を湯切りすることができる湯切り機能付の蓋材である。
【０００４】
【特許文献１】
特開２０００−１０９１４１号公報
【０００５】
【発明が解決しようとする課題】
ところが、従来の発泡スチロール製などのトレー状容器５０に被せて熱融着した、図４に示す湯切り機能付の蓋材については、湯切りする方向の下流端辺に設けた（開蓋つまみを兼ねた）湯切りつまみａを引張って、内蓋材３０の湯切り孔を形成する領域と湯切りつまみａの部分との間に設けた切れ目線ｆを切断して、図４Ｃに斜線で示す湯切り孔を形成する領域に設けた剥離剤層４０を剥離する時に、通常は、この内蓋材３０に設けた切れ目線ｆとトレー状容器５０のフランジｇの外周端とが、図４Ｂに示すように一致した位置に被せて熱融着されているものの、被せて熱融着する工程のばらつきなどで、図５Ａに示すように、内蓋材３０の湯切り孔を形成する領域と湯切りつまみａの部分との間に設けた切れ目線ｆが、トレー状容器５０のフランジｇの外周端の内側にずれて熱融着された場合、湯切りつまみａを引張ることによって、発泡スチロール製などのトレー状容器５０のフランジｇの上面側が、図５Ｂに示す材料破壊を起し易いことが問題であって、内蓋材３０に設けた切れ目線ｆが切断されない恐れがあって、湯切り孔を形成する領域に設けた剥離剤層４０を剥離することが難しいために、この領域の内蓋材３０が外蓋材２０とともに除去されて、湯切りする方向の下流側の湯切り孔を形成する領域に、全く湯切り孔を形成することができない恐れがあった。
【０００６】
そこで、本発明の目的は、熱湯を注いで調理するインスタント焼そばやインスタント生麺などを収容した、発泡スチロール製などのトレー状容器５０に被せて熱融着する、湯切り孔を形成する領域に設けた剥離剤層４０を確実に剥離して、この領域に残した内蓋材３０に、確実に複数の湯切り孔ｃ、ｃ、ｃ、…を形成することができる、傾けるだけで、簡単に残余の熱湯を湯切りすることができる湯切り機能付の蓋材を提供することにある。
【０００７】
【課題を解決するための手段】
本発明の湯切り機能付の蓋材は、図１、図３に示すように、外蓋材２０と内蓋材３０とを、部分的に設けた剥離剤層４０を介して積層して成る、湯切りする方向（図１、図３では右から左）の下流側の（図３Ａに斜線で示す）湯切り孔を形成する領域の下流端辺に湯切りつまみａを設け、開蓋する方向（図１、図３では右から左）の上流端辺に開蓋つまみｂを有する円形状又は角を丸めた長方形状（図１、図３では円形状）の湯切り機能付の蓋材であって、内蓋材３０の湯切り孔を形成する領域の下流部分に、湯切り孔を形成する複数（図１、図３では７個）の円形切れ目線ｃ、ｃ、ｃ、…を設けて、この複数の円形切れ目線ｃ、ｃ、ｃ、…の内側を除いた湯切り孔を形成する領域と、この領域の下流端辺に設けた湯切りつまみａの部分とに、部分的に設けた剥離剤層４０を介して、この外蓋材２０と内蓋材３０とを積層したことを特徴とする湯切り機能付の蓋材である。
【０００８】
本発明の湯切り機能付の蓋材においては、熱湯を注いで調理するインスタント焼そばやインスタント生麺などを収容した、発泡スチロール製などのトレー状容器５０に被せて熱融着する、外蓋材２０と内蓋材３０とを、部分的に設けた剥離剤層４０を介して積層して成る、湯切りする方向の下流側の、湯切り孔を形成する領域の下流端辺に湯切りつまみａを設け、開蓋する方向の上流端辺に開蓋つまみｂを有する円形状又は角を丸めた長方形状の図４に示す従来の湯切り機能付の蓋材と同様の湯切り機能付の蓋材であって、内蓋材３０の湯切り孔を形成する領域の下流部分に、湯切り孔を形成する複数の円形切れ目線ｃ、ｃ、ｃ、…を設けて、この複数の円形切れ目線ｃ、ｃ、ｃ、…の内側を除いた湯切り孔を形成する領域と、この領域の下流端辺に設けた湯切りつまみａの部分とに、部分的に設けた剥離剤層４０を介して、この外蓋材２０と内蓋材３０とを積層したことによって、湯切り機能付の蓋材の開蓋つまみｂをやゝ強く引張って、途中まで開蓋し、熱湯を注いで調理した後に、湯切りする方向の下流側の湯切り孔を形成する領域の下流端辺に設けた湯切りつまみａを、この湯切りつまみａの部分に設けた剥離剤層４０を剥離しながら引張って、図３Ａに斜線で示す湯切り孔を形成する領域に設けた剥離剤層４０を剥離し、内蓋材３０を残して、湯切り孔を形成する領域の外蓋材２０を除去するだけで、図３Ｂに示すように、剥離剤層４０を除いた複数の円形切れ目線ｃ、ｃ、ｃ、…の内側が、この外蓋材２０とともに除去されて開孔して、この領域に残した内蓋材３０に、簡単に複数の湯切り孔ｃ、ｃ、ｃ、…を形成することができ、従来と同様の湯切り機能付の蓋材であって、続いて、湯切りする方向の下流側の湯切り孔を形成する領域に残した内蓋材３０に、複数の湯切り孔ｃ、ｃ、ｃ、…を形成したトレー状容器５０を、同様に湯切りする方向の下流側に傾けるだけで、簡単に残余の熱湯を湯切りすることができる湯切り機能付の蓋材を提供することができる。
【０００９】
しかも、本発明の湯切り機能付の蓋材においては、図４に示す従来の湯切り機能付の蓋材とは異なって、複数の円形切れ目線ｃ、ｃ、ｃ、…の内側を除いた湯切り孔を形成する領域に加えて、この領域の下流端辺に連続して設けた湯切りつまみａの部分に、部分的に設けた剥離剤層４０を介して、外蓋材２０と内蓋材３０とを積層したことによって、湯切りする方向の下流側の、湯切り孔を形成する領域の下流端辺に設けた湯切りつまみａを、この湯切りつまみａの部分に設けた剥離剤層４０を剥離しながら、内蓋材３０を残して、剥離した湯切りつまみａの外蓋材２０のみを引張って、この湯切りつまみａの部分に連続した、図３Ａに斜線で示す湯切り孔を形成する領域の剥離剤層４０を確実に剥離することができるために、図５Ａに示すように、内蓋材３０の湯切り孔を形成する領域と湯切りつまみａの部分との間が、トレー状容器５０のフランジｇの外周端の内側にずれて熱融着された場合であっても、湯切りつまみａの外蓋材２０のみを引張ることによって、発泡スチロール製などのトレー状容器５０のフランジｇの上面側が、図５Ｂに示す材料破壊を起す恐れが全くない、内蓋材３０を残して、湯切り孔を形成する領域の外蓋材２０を除去するだけで、この領域に残した内蓋材３０に、確実に複数の湯切り孔ｃ、ｃ、ｃ、…を形成することができる湯切り機能付の蓋材を提供することができる。
【００１０】
加えて、本発明の湯切り機能付の蓋材は、図１Ｃに示すように、内蓋材３０の湯切り孔を形成する領域と湯切りつまみａの部分との間を切断して、外蓋材２０を残して、湯切りつまみａの部分の内蓋材３０を除去したことを特徴とする湯切り機能付の蓋材である。
【００１１】
本発明の湯切り機能付の蓋材においては、内蓋材３０の湯切り孔を形成する領域と湯切りつまみａの部分との間を切断して、外蓋材２０を残して、湯切りつまみａの部分の内蓋材３０を除去したことによって、湯切りする方向の下流側の、湯切り孔を形成する領域の下流端辺に設けた湯切りつまみａの、内蓋材３０を除去した外蓋材２０のみを引張って、この湯切りつまみａの部分に連続した、図３Ａに斜線で示す湯切り孔を形成する領域の剥離剤層４０を確実に剥離することができるために、前述した湯切り機能付の蓋材と同様に、内蓋材３０の湯切り孔を形成する領域と湯切りつまみａの部分との間が、トレー状容器５０のフランジｇの外周端の内側にずれて熱融着された場合であっても、湯切りつまみａの外蓋材２０のみを引張ることによって、発泡スチロール製などのトレー状容器５０のフランジｇの上面側が、材料破壊を起す恐れが全くない湯切り機能付の蓋材を得ることができる。
【００１２】
また、本発明の湯切り機能付の蓋材は、図１、図３に示すように、外蓋材２０の湯切り孔を形成する領域の上流端に、この領域を区画する切れ目線ｄを設けたことを特徴とする湯切り機能付の蓋材である。
【００１３】
本発明の湯切り機能付の蓋材においては、外蓋材２０の湯切り孔を形成する領域の上流端に、この領域を区画する切れ目線ｄを設けたことによって、湯切り機能付の蓋材の開蓋つまみｂをやゝ強く引張って、外蓋材２０に設けた切れ目線ｄ付近まで開蓋して、熱湯を注いで閉蓋して３分間程度放置した後に、湯切りする方向の下流側の、湯切り孔を形成する領域の下流端辺に設けた湯切りつまみａを、この湯切りつまみａの部分に設けた剥離剤層４０を剥離しながら引張って、図３Ａに斜線で示す湯切り孔を形成する領域に設けた剥離剤層４０を剥離しながら、この領域を区画する切れ目線ｄを切断して、内蓋材３０を残して、湯切り孔を形成する領域の外蓋材２０を、湯切り機能付の蓋材を閉蓋した状態で除去することができるために、この領域に残した内蓋材３０に、複数の湯切り孔ｃ、ｃ、ｃ、…を形成したトレー状容器５０を、閉蓋した状態で湯切りする方向の下流側に傾けて、安全に残余の熱湯を湯切りすることができる湯切り機能付の蓋材を得ることができる。
【００１４】
【発明の実施の形態】
本発明の湯切り機能付蓋材を、実施の形態に沿って以下に詳細に説明すれば、本発明の湯切り機能付蓋材を構成する外蓋材２０は、図２（Ａ）、（Ｂ）に示すように、例えばポリエステル（ＰＥＴ  ）や延伸ポリプロピレン（Ｏ−ＰＰ）などの、引張り強度などが優れた６〜３０μｍ程度の表面樹脂フィルム層２と、表面に美麗な印刷をした上質紙やアート紙などの、適度の剛性などを有する６０〜１３０ｇ／ｍ２  程度の紙材料層３とを、図示していない接着剤層を介するなどして適宜に積層した、適度の強度や剛性などを有する外蓋材２０を、特に制約なく用いることができる。
【００１５】
内蓋材３０については、図２（Ａ）、（Ｂ）に示すように、例えば低密度ポリエチレン（ＬＤＰＥ）などの、熱融着性などを有する１２〜３０μｍ程度の接着性樹脂層４と、各種バリアー性などが優れた６〜１８μｍ程度のアルミニウム箔層５と、例えばエチレンーメタアクリル酸共重合体（ＥＭＡＡ）やエチレンー酢酸ビニル共重合体（ＥＶＡ  ）などの、熱融着性とイージーピール（熱融着した後に剥がすことができる）性とを有する２０〜６０μｍ程度のシーラント層６とを、この接着性樹脂層４とシーラント層６とをそれぞれ熱溶融するなどして適宜に積層した、各種バリアー性や熱融着性などを有する内蓋材３０を、特に制約なく用いることができる。
【００１６】
剥離剤層４０については、図２（Ａ）、（Ｂ）に示すように、例えば表面に美麗な印刷をした紙材料層３の裏面に、通常のワックス系剥離ニスやシリコン系剥離ニスなどの、前述した接着性樹脂層４との剥離強度が１０〜１５０ｇ／１５ｍｍ幅程度の剥離剤層４０を、図３Ａに斜線で示す湯切り孔を形成する領域の複数の円形切れ目線ｃ、ｃ、ｃ、…の内側を除いた部分と、この領域の下流端辺に設けた湯切りつまみａの部分とに印刷するなどして部分的に設けることができる。
【００１７】
また、本発明の湯切り機能付蓋材における、前述した表面樹脂フィルム層２と紙材料層３とを積層した外蓋材２０と、前述した接着性樹脂層４とアルミニウム箔層５とシーラント層６とを積層した内蓋材３０とを、部分的に設けた剥離剤層４０を介して積層する方法については、後述する実施例に示すように、引張り強度などが優れた表面樹脂フィルム層２と、裏面に剥離剤層４０を部分的に設けた、適度の剛性などを有する紙材料層３とを、図示していない接着剤層を介して、通常のドライラミネーション方法などで積層して、湯切り孔を形成する領域を区画する切れ目線ｄを貫通して設けるなどした後に、この紙材料層３の裏面に、熱融着性などを有する接着性樹脂層４と、各種バリアー性などが優れたアルミニウム箔層５と、熱融着性とイージーピール性とを有するシーラント層６とを、この接着性樹脂層４とシーラント層６とをそれぞれ熱溶融して、通常の熱押出しラミネーション方法などで同時に積層することができる。
【００１８】
加えて、本発明の湯切り機能付蓋材における、内蓋材３０の湯切り孔を形成する領域と湯切りつまみａの部分との間を切断して、外蓋材２０を残して、湯切りつまみａの部分の内蓋材３０を除去する方法については、内蓋材３０の湯切り孔を形成する領域と湯切りつまみａの部分との間に、図示していない内蓋材３０を切断する切れ目線を設けて、複数の円形切れ目線ｃ、ｃ、ｃ、…の内側を除いた湯切り孔を形成する領域と、この領域の下流端辺に設けた湯切りつまみａの部分とに、部分的に設けた剥離剤層４０を介して、外蓋材２０と内蓋材３０とを積層することによって、後述する実施例に示すように、連続した巻取りフィルム状で機械的に、この図示していない切れ目線を切断しながら、湯切りつまみａの部分に設けた剥離剤層４０を剥離して、外蓋材２０を残して、この湯切りつまみａの部分の内蓋材３０を除去した後に、湯切りする方向の下流側の、湯切り孔を形成する領域の下流端辺に湯切りつまみａを設けた、開蓋する方向の上流端辺に開蓋つまみｂを有する円形状又は角を丸めた長方形状に切断することができる。
【００１９】
【実施例】
以下に、本発明の湯切り機能付蓋材の具体的実施例を説明する。
＜実施例１＞
図１Ａは、本発明の実施例１における、湯切り機能付の蓋材の平面図であって、図１Ｂ、Ｃは、その断面説明図である。
また図２Ａ、Ｂは、本発明の実施例１における、湯切り機能付の蓋材の拡大断面説明図である。
さらに図３Ａは、本発明の実施例１における、複数の湯切り孔ｃ、ｃ、ｃ、…を形成した湯切り機能付の蓋材の平面図であって、図３Ｂ、Ｃは、その断面説明図である。
【００２０】
本発明の請求項１、２、３に対応する実施例１の湯切り機能付の蓋材は、表面樹脂フィルム層２と紙材料層３とを積層した外蓋材２０と、接着性樹脂層４とアルミニウム箔層５とシーラント層６とを積層した内蓋材３０とを、部分的に設けた剥離剤層４０を介して積層して成る、湯切りする方向（図１、図３では右から左    ）の下流側の、（図３Ａに斜線で示す）湯切り孔を形成する領域の（切れ目線ｄの近傍の）下流端辺に湯切りつまみａを設けた、開蓋する方向（図１、図３では右から左）の上流端辺に開蓋つまみｂを有する、図１Ａに示す１８０ｍｍφの円形状の湯切り機能付の蓋材であって、外蓋材２０の湯切り孔を形成する領域の上流端に、この領域を区画する直線状の切れ目線ｄを設けて、また内蓋材３０の湯切り孔を形成する領域と湯切りつまみａの部分との間に、図示していない内蓋材３０を切断する切れ目線を設けて、さらに内蓋材３０の湯切り孔を形成する領域の下流部分に、湯切り孔を形成する７個の６ｍｍφの円形切れ目線ｃ、ｃ、ｃ、…を設けて、この７個の円形切れ目線ｃ、ｃ、ｃ、…の内側を除いた湯切り孔を形成する領域と、この領域の下流端辺に設けた湯切りつまみａの部分とに、部分的に設けた剥離剤層４０を介して、この外蓋材２０と内蓋材３０とを積層した湯切り機能付の蓋材である。
【００２１】
すなわち、引張り強度などが優れた通常のポリエステル（ＰＥＴ  ）１２μｍの表面樹脂フィルム層２と、表面に美麗な印刷をして、裏面にシリコン系剥離ニス（東洋インキ製造（株）製）５ｇ／ｍ２  ・ｄｒｙ  の剥離剤層４０を、７個の円形切れ目線ｃ、ｃ、ｃ、…の内側を除いた湯切り孔を形成する領域と、この領域の下流端辺に設けた湯切りつまみａの部分とに、印刷して部分的に設けた、適度の剛性などを有する上質紙７９ｇ／ｍ２  の紙材料層３とを、ウレタン系の接着剤層を介して、通常のドライラミネーション方法で積層して、適度の強度や剛性などを有する連続した巻取りフィルム状の外蓋材２０を作製した。
【００２２】
次に、通常の金属打抜刃を用いた打抜工程で、この外蓋材２０の湯切り孔を形成する領域の上流端に、この領域を区画する直線状の切れ目線ｄを、外蓋材２０を貫通して設けた後に、この外蓋材２０の紙材料層３の裏面に、熱融着性などを有する通常の低密度ポリエチレン（ＬＤＰＥ）    ２０μｍの接着性樹脂層４と、各種バリアー性などが優れた通常の１２μｍのアルミニウム箔層５と、熱融着性とイージーピール性とを有するエチレンーメタアクリル酸共重合体（ＥＭＡＡ）（商品名：ＶＮ５０３Ｃ、三井デュポン（株）製）３０μｍのシーラント層６とを、この接着性樹脂層４とシーラント層６とをそれぞれ熱溶融して、通常の熱押出しラミネーション方法で同時に積層することによって、適度の強度や剛性などを有する外蓋材２０に、紙材料層３の裏面に部分的に設けた剥離剤層４０を介して積層した、各種バリアー性や熱融着性などを有する連続した巻取りフィルム状の内蓋材３０を作製した。
【００２３】
続いて、同様の金属打抜刃を用いた打抜工程で、この内蓋材３０の湯切り孔を形成する領域と湯切りつまみａの部分との間に、図示していない内蓋材３０を切断する切れ目線と、また内蓋材３０の湯切り孔を形成する領域の下流部分に、湯切り孔を形成する７個の６ｍｍφの円形切れ目線ｃ、ｃ、ｃ、…とを、内蓋材３０を貫通（シーラント層６側から紙材料層３に達する）して設けて、同時に連続した巻取りフィルム状で機械的に、この図示していない切れ目線を切断しながら、湯切りつまみａの部分に設けた剥離剤層４０を剥離して、外蓋材２０を残して、この湯切りつまみａの部分の内蓋材３０を除去した後に、周辺部を切断して、湯切りする方向の下流側の、湯切り孔を形成する領域の切れ目線ｄの近傍の下流端辺に湯切りつまみａを設けた、開蓋する方向の上流端辺に開蓋つまみｂを有する１８０ｍｍφの円形状の、本実施例の湯切り機能付の蓋材を作製した。
【００２４】
本実施例の、熱湯を注いで調理するインスタント焼そばなどを収容した、収容部の直径と深さとが約１６ｃｍφ×４ｃｍの、図１Ｂに示す発泡スチロール製のトレー状容器５０に被せて、このトレー状容器５０のフランジｇに周辺部を熱融着した湯切り機能付の蓋材においては、湯切り機能付の蓋材の開蓋つまみｂをやゝ強く引張って、外蓋材２０に設けた切れ目線ｄ付近まで開蓋して、熱湯を注いで閉蓋して３分間程度放置した後に、湯切りする方向の切れ目線ｄの近傍の下流端辺に設けた湯切りつまみａを引張って、図３Ａに斜線で示す湯切り孔を形成する領域に設けた剥離剤層４０を剥離しながら、この領域を区画する切れ目線ｄを切断して、内蓋材３０を残して、湯切り孔を形成する領域の外蓋材２０を、湯切り機能付の蓋材を閉蓋した状態で除去するだけで、図３Ｂに示すように、剥離剤層４０を除いた７個の円形切れ目線ｃ、ｃ、ｃ、…の内側が、この外蓋材２０とともに除去されて開孔して、この領域に残した内蓋材３０に、簡単に７個の湯切り孔ｃ、ｃ、ｃ、…を形成することができる、続いて、この７個の湯切り孔ｃ、ｃ、ｃ、…を形成したトレー状容器５０を、閉蓋した状態で湯切りする方向の下流側に傾けるだけで、安全に残余の熱湯を湯切りすることができる湯切り機能付の蓋材を得ることができた。
【００２５】
しかも、本実施例の湯切り機能付の蓋材においては、内蓋材３０の湯切り孔を形成する領域と湯切りつまみａの部分との間に、図示していない内蓋材３０を切断する切れ目線を設けて、この図示していない切れ目線を切断しながら、湯切りつまみａの部分に設けた剥離剤層４０を剥離して、外蓋材２０を残して、この湯切りつまみａの部分の内蓋材３０を除去したことによって、湯切りする方向の切れ目線ｄの近傍の下流端辺に設けた湯切りつまみａの、内蓋材３０を除去した外蓋材２０のみを引張って、この湯切りつまみａの部分に連続した、図３Ａに斜線で示す湯切り孔を形成する領域に設けた剥離剤層４０を確実に剥離することができるために、図５Ａに示すように、内蓋材３０の湯切り孔を形成する領域と湯切りつまみａの部分との間が、トレー状容器５０のフランジｇの外周端の内側にずれて熱融着された場合であっても、発泡スチロール製のトレー状容器５０のフランジｇの上面側が、図５Ｂに示す材料破壊を起す恐れが全くない、この領域に残した内蓋材３０に、確実に７個の湯切り孔ｃ、ｃ、ｃ、…を形成することができる湯切り機能付の蓋材を得ることができた。
【００２６】
【発明の効果】
以上、実施例ほかに示すとおり、本発明の湯切り機能付の蓋材においては、熱湯を注いで調理するインスタント焼そばやインスタント生麺などを収容した、発泡スチロール製などのトレー状容器５０に被せて熱融着する、湯切り孔を形成する領域に設けた剥離剤層４０を確実に剥離して、この領域に残した内蓋材３０に、確実に複数の湯切り孔ｃ、ｃ、ｃ、…を形成することができる、傾けるだけで、簡単に残余の熱湯を湯切りすることができる湯切り機能付の蓋材を提供することができる。
【図面の簡単な説明】
【図１】（Ａ）は、本発明の実施例１における湯切り機能付蓋材の平面図、（Ｂ）、（Ｃ）は、その断面説明図である。
【図２】（Ａ）、（Ｂ）は、本発明の実施例１における湯切り機能付蓋材の部分拡大断面図である。
【図３】（Ａ）は、本発明の実施例１における複数の湯切り孔ｃ、ｃ、ｃ、…を形成した湯切り機能付蓋材の平面図、（Ｂ）、（Ｃ）は、その断面図である。
【図４】（Ａ）、（Ｃ）は、従来の湯切り機能付蓋材の平面図、（Ｂ）、（Ｄ）は、その断面図である。
【図５】（Ａ）、（Ｂ）は、従来の湯切り機能付の蓋材におけるトレー状容器のフランジｇの上面側が材料破壊を起す状態を示す断面図である。
【符号の説明】
２０…外蓋材
３０…内蓋材
４０…剥離剤層
５０…トレー状容器
２…表面樹脂フィルム層
３…紙材料層
４…接着性樹脂層
５…アルミニウム箔層
６…シーラント層
ａ…湯切りつまみ
ｂ…開蓋つまみ
ｃ…円形切れ目線、湯切り孔
ｄ、ｅ、ｆ…切れ目線
ｇ…フランジ
【図１】
2004314990.tif 000003
【図２】
2004314990.tif 000004
【図３】
2004314990.tif 000005
【図４】
2004314990.tif 000006
【図５】
2004314990.tif 000007